(57)【特許請求の範囲】
【請求項１】
前面に開口部が形成されたケースと、上記開口部に臨ませてケース内に配置され入力操作が行われる透明なタッチパネルと、該タッチパネルの背後で画像を表示する表示用パネルと、上記タッチパネルに設けられて該タッチパネルに振動を付与する振動発生素子と、上記タッチパネルと上記表示用パネルとの間に介在されて、それらの間に間隙を維持する弾性部材とを備え、
上記タッチパネルに入力すると当該タッチパネルが振動するタッチ入力式振動表示パネルであって、上記タッチパネルの表示画面が正面を向いた状態から前傾した位置と後傾した位置とにわたって回動可能なタッチ入力式振動表示パネルにおいて、
上記ケース内に設けられ上記表示用パネルを固定する取り付けプレートと、
後側の枠部分が上記表示用パネルの前面側に外嵌され、前側の枠部分に上記タッチパネルを嵌めこんで支持するとともに、これら表示用パネルとタッチパネルの間に複数の上記弾性部材を形成した枠状部材を備え、
上記振動発生素子は、矩形をした上記タッチパネルの一対の対向する辺の中央位置に各縁部に沿って設けられており、
上記弾性部材は、上記振動発生素子の両側方の上記タッチパネルの角部よりも上記振動発生素子に近い位置で上記タッチパネルの後面に当接するよう設けられ、
さらに、上記弾性部材と位置を合わせた上記タッチパネルの前面に当接する爪部材を上記取り付けプレートに設けたことを特徴とするタッチ入力式振動表示パネル。
【請求項２】
上記爪部材を板状に形成し、上記タッチパネルを爪部材とともにシート状部材で覆って上記ケースの開口部を封鎖したことを特徴とする請求項１に記載のタッチ入力式振動表示パネル。
【発明の詳細な説明】
【技術分野】
【０００１】
本発明はタッチ入力式の表示パネルに関し、より詳しくは、操作者が手で触れて信号を入力するタッチパネルに振動を付与する振動発生素子を備えたタッチ入力式振動表示パネルに関する。
【背景技術】
【０００２】
従来、タッチ入力式振動表示パネルとして次のような構成を備えたものは公知である。すなわち、前面に開口部が形成されたケースと、上記開口部に臨ませてケース内に配置され入力操作が行われる透明なタッチパネルと、該タッチパネルの背後で画像を表示する表示用パネルと、上記タッチパネルに設けられて該タッチパネルに振動を付与する振動発生素子と、上記タッチパネルと上記表示用パネルとの間に介在されて、それらの間に間隙を維持する弾性部材とを備えたタッチ入力式振動表示パネルは知られている（例えば特許文献１、特許文献２参照）。
こうした従来のタッチ入力式振動表示パネルは、操作者が指でタッチパネルに触って信号を入力するようになっており、その信号入力の際に振動発生素子によってタッチパネルを振動させることで、信号が正しく入力されたか否かを操作者が確認できるようになっている。
【先行技術文献】
【特許文献】
【０００３】
【特許文献１】特許第４８１１９６５号公報
【特許文献２】特開２０１２−２１６２０５号公報
【発明の概要】
【発明が解決しようとする課題】
【０００４】
従来のタッチ入力式振動表示パネルは、上方もしくは斜め上方を向けた状態で使用することが前提となっており、前傾状態で使用することは想定されていない。すなわち、振動発生素子で振動されるタッチパネルは、振動が阻害されないように弾性部材に載置されて支持されている。そのため、従来品においては、ケース内にタッチパネルが単に嵌めこまれているだけであり、固定されていなかったものである。
ところで、最近では血液透析装置等の医療機器においても、正しく入力されたことが認識できるように、入力装置としてタッチ入力式振動表示パネルを用いることが要望されており、この場合にはタッチ入力式振動表示パネルを前傾を含むあらゆる方向に向けて使用することが要求される。しかしながら、前述したように、従来品は、タッチパネルをケースに嵌合しただけであるため、タッチ入力式振動表示パネルを前傾させて使用すると、発生させた振動によりケースからタッチパネルが抜け出たりガタツキが生じるという問題がある。
【課題を解決するための手段】
【０００５】
上述した事情に鑑み、本発明は、前面に開口部が形成されたケースと、上記開口部に臨ませてケース内に配置され入力操作が行われる透明なタッチパネルと、該タッチパネルの背後で画像を表示する表示用パネルと、上記タッチパネルに設けられて該タッチパネルに振動を付与する振動発生素子と、上記タッチパネルと上記表示用パネルとの間に介在されて、それらの間に間隙を維持する弾性部材とを備え、
上記タッチパネルに入力すると当該タッチパネルが振動するタッチ入力式振動表示パネルであって、上記タッチパネルの表示画面が正面を向いた状態から前傾した位置と後傾した位置とにわたって回動可能なタッチ入力式振動表示パネルにおいて、
上記ケース内に設けられ上記表示用パネルを固定する取り付けプレートと、
後側の枠部分が上記表示用パネルの前面側に外嵌され、前側の枠部分に上記タッチパネルを嵌めこんで支持するとともに、これら表示用パネルとタッチパネルの間に複数の上記弾性部材を形成した枠状部材を備え、
上記振動発生素子は、矩形をした上記タッチパネルの一対の対向する辺の中央位置に各縁部に沿って設けられており、
上記弾性部材は、上記振動発生素子の両側方の上記タッチパネルの角部よりも上記振動発生素子に近い位置で上記タッチパネルの後面に当接するよう設けられ、
さらに、上記弾性部材と位置を合わせた上記タッチパネルの前面に当接する爪部材を上記取り付けプレートに設けたものである。
【発明の効果】
【０００６】
このような構成によれば、弾性部材と爪部材によってタッチパネルを振動発生素子の両側方で前後から支持することで、振動を阻害することなく支持できるため、タッチ入力式振動表示パネルを前傾させて使用することが可能となり、汎用性が高いタッチ入力式振動表示パネルを提供できる。
【図面の簡単な説明】
【０００７】
【図１】本発明のタッチ入力式振動表示パネル３を備えた血液透析装置１の斜視図。
【図２】タッチ入力式振動表示パネル３の右側面図。
【図３】タッチ入力式振動表示パネル３の縦断面図。
【図４】図３の要部の拡大図。
【図５】タッチパネル１２と表示用パネル１４の取り付け状態を示す説明図。
【発明を実施するための形態】
【０００８】
以下図示実施例について本発明を説明すると、図１において、医療機器としての人工透析を行うための血液透析装置１は、その主要構成を収容した筐体２と、該筐体２の天面２Ａに取り付けられたタッチ入力式振動表示パネル３と、筐体２内に設けられて上記主要構成の作動を制御する制御手段４とを備えている。操作者である医療従事者がタッチ入力式振動表示パネル３の表示画面３Ａに指で触れて所要の入力操作を行うことにより、制御手段４は血液ポンプ５等からなる血液透析装置１の作動を制御するようになっている。そして、タッチ入力式振動表示パネル３は、操作者が表示画面３Ａに指で触れて所要の入力操作をした際に表示画面３Ａが所定の振動をすることで正常な入力が行われたことを操作者に伝達できるようになっている。他方、入力が正常に行われなかった場合には、表示画面３Ａがこれに応じた振動をすることで、操作者はそのことを認識できるようになっている。
【０００９】
筐体２内に設けられた血液透析装置１の主要構成やそれらの機能及び制御手段４による制御に関しては従来公知であるため、ここでの詳細な説明は省略する。本実施例は、タッチ入力式振動表示パネル３の改良案を開示するものであり、図２に矢印で示したように、本実施例のタッチ入力式振動表示パネル３は、鉛直方向に立てた状態とそこから前後に所定角度傾斜した位置まで前後傾可能となっている。
図２に示すように、タッチ入力式振動表示パネル３は、筐体２の天面２Ａに取り付け軸部６を介して前後左右に揺動可能に取り付けられており、タッチ入力式振動表示パネル３は、取り付け軸部６における軸支部６Ａを回動中心として表示画面３Ａが正面を向いた状態から所定角度前傾した位置と後傾した位置とにわたって前後に回動できるようになっており、また、取り付け軸部６を中心に左右に回動できるようになっている。
【００１０】
図３に示すように、本実施例のタッチ入力式振動表示パネル３は、前面に開口部１１Ａが形成されたケース１１と、開口部１１Ａに臨ませてケース１１内に配置されて操作者によって入力操作が行われる矩形をした透明なタッチパネル１２と、タッチパネル１２に設けられて該タッチパネル１２に振動を付与する一対の振動発生素子１３，１３（図５参照）と、タッチパネル１２の背後となるケース１１内に設けられて画像を表示する表示用パネル１４と、タッチパネル１２と表示用パネル１４との間に介在されて、それらの間に所定の間隙を維持する弾性部材１５Ｂと、最も前面側に配置されてケース１１の開口部１１Ａを封鎖する透明な樹脂フィルムからなるシート状部材１６とを備えている。また、ケース１１内には、図示しない回路基板や電源、その他の電子部品が収容されている。
【００１１】
ケース１１内には、矩形をした開口部１１Ａよりも大きな長方形の取り付けプレート２１が固定されており、複数のブラケット２２を介して上記表示用パネル１４が固定されている。
表示用パネル１４は横長の矩形をした液晶パネルからなり、固定された表示用パネル１４の前面側の外周縁に、枠状部材１５の仕切壁１５Ａ（図４、図５参照）より後側の枠部分が外嵌されており、表示用パネル１４の前面外周縁は仕切壁１５Ａの裏面に当接している。この表示パネル１４の前面側に被せられた枠状部材１５の仕切壁１５Ａより前側の枠部分に、透明なタッチパネル１２が嵌めこまれて支持されている。
タッチパネル１２は、表示用パネル１４より若干縦横に大きな矩形に形成されており、タッチパネル１２の厚さは、表示用パネル１４の厚さの半分以下となっている。枠状部材１５に嵌めこまれた状態では、タッチパネル１２の後面側に仕切壁１５Ａの表面に形成された複数の弾性部材１５Ｂが当接するようになっている。
図５に示すように、タッチパネル１２の一対の対向する長辺の各縁部１２Ａ、１２Ａに沿う中央位置に、長辺より短い長さで細長く形成された四角柱の同じ長さの振動発生素子１３、１３を埋設して設けている。振動発生素子１３は圧電素子からなり、電圧を加えることで両振動発生素子１３，１３がともにタッチパネル１２を連続的に前後に撓ませて振動させるようになっている。上記振動発生素子１３は、概ねタッチパネル１２の長辺の四分の一以上、三分の二以下の長さに形成され、タッチパネル１２の操作性を損なうことのない縁部１２Ａに設けられている。
なお、上記枠状部材１５は、仕切壁１５Ａや弾性部材１５Ｂを含めてゴム等の弾性を有する部材からなり、タッチパネル１２は、この枠状部材１５に遊嵌されているため振動が阻害されることはない。
【００１２】
弾性部材１５Ｂは、振動発生素子１３の両側方に位置するように設けられており、これに位置を合わせてタッチパネル１２の前面側に当接する複数の爪部材２７が設けられている。爪部材２７は板状でかつＬ字状に形成されており、取り付けプレート２１に立設したブラケット２３に溶接されて、枠状部材１５の上面または下面に接触するとともにタッチパネル１２の前面側に折り曲げられている。これにより、タッチパネル１２が枠状部材１５から抜け出ることを防止している。爪部材２７はタッチパネル１２が抜け出ない程度にタッチパネル１２の縁部１２Ａに当接するようになっており、弾性部材１５Ｂと爪部材２７でタッチパネル１２を強固に挟んでおらず、タッチパネル１２が振動することを阻害しないよう弾性部材１５Ｂと爪部材２７の間隔が調整されている。
また、振動発生素子１３はタッチパネル１２の長辺の中央に揃えて位置させており、弾性部材１５と爪部材２７を振動発生素子１３の両側方で、長辺の中間点からほぼ等距離に配置しているため、タッチパネル１２の中央が前後に撓むことが可能で、振動でタッチパネル１２が枠状部材１５の中で偏ることもない。
この弾性部材１５と爪部材２７による支持は、タッチパネル１２の角部を除く、振動発生素子１３と角部の間に設けるが、できるだけ振動発生素子１３に近づけて設けるようにする。
さらに、タッチパネル１２および薄い板状に形成した爪部材２７を透明の樹脂フィルムからなるシート状部材１６で覆って、ケース１１の開口部１１Ａを封鎖している。これにより、ゴミや水分がケース１１内に浸入しないようになっており、また、表面がフラットで汚れを拭き取りやすくなっている。そして、この透明なシート状部材１６越しに操作者は表示画面３Ａを指で操作するようになっている。
【００１３】
以上のように、本実施例のタッチ入力式振動表示パネル３は、前傾させた場合でも、爪部材２７に支持されているのでタッチパネル１２が抜け出すことはない。
また、タッチパネル１２の四隅（角部）を支持した場合には、振動によるタッチパネル１２の撓みが大きくなり感触が重く感じられるが、振動発生素子１３の両側方で振動発生素子１３に近い位置で支持しているため、この支持箇所を支点としてタッチパネル１２が撓み、適度な振動を発生させることができる。また、本実施例では、矩形をしたタッチパネル１２の長辺に振動発生素子１３を設けたが、弾性部材１５Ｂと爪部材２７による支持箇所として、四隅から離れた位置を設定できる場合は長辺でなく短辺であってもよい。
【００１４】
なお、本実施例のタッチ入力式振動表示パネル３は血液透析装置１等の医療機器以外の入力手段として用いることができることは勿論である。
【符号の説明】
【００１５】
３‥タッチ入力式振動表示パネル      １１‥ケース
１１Ａ‥開口部                      １２‥タッチパネル
１２Ａ‥縁部                        １３‥振動発生素子
１４‥表示用パネル                  １５‥枠状部材
１５Ｂ‥弾性部材                    ２７‥爪部材
【図１】
0006566197.tif 000002
【図２】
0006566197.tif 000003
【図３】
0006566197.tif 000004
【図４】
0006566197.tif 000005
【図５】
0006566197.tif 000006